(57)【要約】【課題】製造を効率化できる電気駐車ブレーキアクチュエータを提供する。【解決手段】電気デバイスのためのケーブルコネクタアセンブリ１０は、プレス部材収容部２２を有するケーブルコネクタ１２ａを有し、プレス部材収容部２２は、導電性コンタクト３４又は導電性コンタクト及び対向する壁部４４のための収容部を含む。同様に、導電性コンタクト３６と接触するようケーブルコネクタ１２ａに配置されるケーブル端子２４を有するケーブル２０が設けられる。バネ要素２８のようなプレス部材が設けられ、これはプレス部材収容部２２へ収容可能とされて、壁部４４及びケーブル端子２４と接触し、プレス部材は導電性コンタクト３６に対してケーブル端子２４を保持する。【選択図】図３
2020024910.tif 000002
【特許請求の範囲】
【請求項１】
電気デバイスのためのケーブルコネクタ組立体であって、
プレス部材収容部を有し、前記プレス部材収容部は導電性コンタクト、又は、導電性コンタクト及び対向すする壁部分のための収容部を含む、ケーブルコネクタと、
前記導電性コンタクトと接触するように前記ケーブルコネクタ上に配置可能なケーブル端子を有するケーブルと、
前記壁部及びケーブル端子と接触するように前記プレス部材収容部へ挿入可能なプレス部材であって、前記ケーブル端子を前記導電性コンタクトに対して保持するプレス部材と、
を備えるケーブルコネクタ組立体。
【請求項２】
前記プレス部材はバネ要素である、請求項１に記載のケーブルコネクタ組立体。
【請求項３】
前記バネ要素は、Ｖ字形又はＵ字形のバネである、請求項２に記載のケーブルコネクタ組立体。
【請求項４】
前記ケーブルコネクタは、さらに、前記プレス部材収容部又はそれに隣接する場所のケーブル案内部を有し、前記ケーブルは少なくともその一部が前記ケーブル案内部に収容可能であり、前記ケーブル案内部は、互いに離間した第１及び第２のケーブル案内スロットを含み、前記第１及び第２のケーブル案内スロットの各々は、前記ケーブルをその内部へつないで収容する寸法とされている、請求項１に記載のケーブルコネクタ組立体。
【請求項５】
前記ケーブル案内部は、前記第１及び第２のケーブル案内スロットのあいだにケーブル案内チャンバを含む、請求項４に記載のケーブルコネクタ組立体。
【請求項６】
前記第１及び第２のケーブル案内スロットは、角度的又は位置的に互いにずらされている、請求項４に記載のケーブルコネクタ組立体。
【請求項７】
前記ケーブル案内部は、ケーブル端子を導電性コンタクトへ方向付けるための端子方向付け肩部を備える、請求項４に記載のケーブルコネクタ組立体。
【請求項８】
前記ケーブルは二つの前記ケーブル端子を有し、さらに前記ケーブルコネクタのそれぞれの導電性コンタクトに対して前記ケーブル端子を保持する第２の前記ケーブルコネクタ及び第２の前記プレス部材を含む、請求項４に記載のケーブルコネクタ組立体。
【請求項９】
前記第１のケーブルコネクタ及び前記第２のケーブルコネクタは、個別の部品として設けられている、請求項８に記載のケーブルコネクタ組立体。
【請求項１０】
前記ケーブル案内部は、前記ケーブルが、二つの前記プレス部材収容部のあいだで蛇行形、Ｕ字形、又はＳ字形の経路を画定するような形状とされている、請求項８に記載のケーブルコネクタ組立体。
【請求項１１】
二つの前記ケーブルが設けられ、前記ケーブルの各ケーブル端子を前記ケーブルコネクタのそれぞれの導電性コンタクトに対して保持するための第３及び第４の前記ケーブルコネクタ及び第３及び第４のプレス部材がさらに設けられ、前記二つのケーブルの一方のための前記プレス部材収容部は、前記二つのケーブルの他方のための前記プレス部材収容部に関して対称的に配置されている、請求項８に記載のケーブルコネクタ組立体。
【請求項１２】
前記第１及び第３のケーブルコネクタは一体的に形成されている、請求項１１に記載のケーブルコネクタ組立体。
【請求項１３】
前記プレス部材収容部は、前記プレス部材をその中に保持するためのプレス部材保持手段を含んでいる、請求項１に記載のケーブルコネクタ組立体。
【請求項１４】
前記ケーブルコネクタのコネクタ本体は、前記プレス部材の摩擦係数よりも高い摩擦係数を有する材料から形成されている、請求項１に記載のケーブルコネクタ組立体。
【請求項１５】
前記プレス部材収容部は、前記ケーブルコネクタ内の凹部として形成されている、請求項１に記載のケーブルコネクタ組立体。
【請求項１６】
前記プレス部材は、前記プレス部材収容部に収容可能な楔留めする要素として形成されている、請求項１に記載のケーブルコネクタ組立体。
【請求項１７】
前記プレス部材の幅は、弛緩状態で前記導電性コンタクトと前記プレス部材収容部の前記壁部とのあいだの間隔は好ましくは５０％から１５０％のあいだである、請求項１に記載のケーブルコネクタ組立体。
【請求項１８】
アクチュエータハウジングと、前記アクチュエータハウジング内に収容可能な電気端子を有するモータと、請求項１に記載のケーブルコネクタ組立体とを含むアクチュエータであって、前記モータの前記端子は、前記ケーブルコネクタ組立体の前記導電性コンタクトに電気的に接続されているアクチュエータ。
【請求項１９】
前記プレス部材収容部は、前記アクチュエータハウジングと一体的に形成されている、請求項１８に記載のアクチュエータ。
【請求項２０】
電気デバイスの端子へケーブルを接続する方法であって、
［ａ］請求項１に記載のケーブルコネクタの前記導電性コンタクトに前記端子を接続する段階、
［ｂ］前記ケーブルのケーブル端子を前記プレス部材収容部へ挿入する段階、
［ｃ］前記プレス部材を前記プレス部材収容部へ挿入して、前記ケーブル端子を前記導電性コンタクトに接触するよう付勢する段階であって、前記プレス部材によって前記ケーブル端子と前記壁部とのあいだに与えられる力で、前記ケーブル端子を前記導電性コンタクトと接触して保持する段階、
を含む方法。
【発明の詳細な説明】
【技術分野】
【０００１】
[0001]  この開示は、ケーブルコネクタ組立体に関し、他を排するものではないが好ましくは、振動に敏感な電気デバイスに関する。また、このようなケーブルコネクタ組立体を有する電気駐車ブレーキアクチュエータ、及び、この当該組立体の一部として使用できる振動に敏感な電気デバイスのためのケーブルコネクタが提供される。ケーブルを振動に敏感な電気デバイスの端子へ接続する方法も提供される。
【背景技術】
【０００２】
[0002]  電気デバイスに対し、二つの部品の間を電気的に接続するためには、これらの間に電気的通路、典型的にはこの二つの部品の間の電気電導性の素子を含む通路が必要である。このような接続は、回路基板のような固体の基板に固着されたプリント回路接続、または差し込み可能な（plaggable）結合のようなしっかりとした接続インターフェイスによって与えられるが、部品間のワイヤ接続によって行うことも可能である。
【０００３】
[0003]  ワイヤ接続にある不利益によって、多くの応用においてワイヤ接続を選択することが望ましくない選択とされる。例えば、ワイヤと部品とを接続することは製造工程における追加的なステップとなり、これは複雑さを増すとともに電気デバイスのコストを増加させる。しかしながら、振動のリスクが高い応用では、ワイヤ接続が望ましい場合もある。
【０００４】
[0004]  二つの端子間に延在するケーブルで形成されたワイヤ接続は、システム内の脆弱な部分へ力を伝達するというよりも、電気デバイスのどのような振動をも弱めることができる。典型的には、コネクタとこのコネクタが接続される部品とのあいだの接続点がこのような脆弱な部分となりうる。ソリッドシステムに対して、振動ははんだに対する損傷を得た得る原因となりうるし、物理的に取り付けられた部品が外れる原因ともなりうる。このようなことは、動く部品が存在する応用、特に振動の効果を緩和ために関連するハウジングへの減衰したコネクタを有するものに特に当てはまる。このような電気デバイスの一つに、内部に電気モータが取り付けられた電気駐車ブレーキアクチュエータがあり、電気モータは従来からモータの振動の効果を抑制するために小さい横方向の動きを許容するための弾性部材を介してハウジングへ結合されている。
【０００５】
[0005]  現状は、電気駐車ブレーキアクチュエータのためのモータの端子を結合するためのコネクタが設けられており、各ケーブルにはケーブル端子用のクリンプされたシュー又はスリーブが設けられ、これはコネクタの所定部分に差し込むことができる。これにより弾性的な接続が与えられる。
【発明の概要】
【発明が解決しようとする課題】
【０００６】
[0006]  このような構成の問題点は、クリンプされたシューを有するケーブルの対応する端子への取り付けが手作業で行われることである。ケーブルに柔軟性があることが組み立ての自動化をより複雑にし、不良の発生を多くする傾向がある。手作業よる組み立ては遅くかつ高価であり、したがって電気駐車ブレーキアクチュエータの製造において非効率なステップである。
【課題を解決するための手段】
【０００７】
[0007]  本開示は、自動組み立てを可能とする耐振動性のケーブルコネクタに対する接続機構を提供する。
【０００８】
[0008]  本開示の第一の観点によれば、電気デバイスのためのケーブルコネクタ組立体であって、プレス部材収容部を有し、前記プレス部材収容部は導電性コンタクト、又は、導電性コンタクト及び対向すする壁部分のための収容部を含む、ケーブルコネクタと、前記導電性コンタクトと接触するように前記ケーブルコネクタ上に配置可能なケーブル端子を有するケーブルと、前記壁部及びケーブル端子と接触するように前記プレス部材収容部へ挿入可能なプレス部材であって、前記ケーブル端子を前記導電性コンタクトに対して保持するプレス部材と、を備えるケーブルコネクタ組立体が提供される。
【０００９】
[0009]  ケーブル端子を導電性コンタクトに対して所定の位置に付勢するのにプレス部材を利用できれば、クリンプされたケーブルのシューを接続ケーブルに取り付ける必要性を無くすことができる。クリンプする作業は時間的に非効率な手作業であったので、ケーブルをコネクタに挿入するための全体的なプロセスを自動化することができる。
【００１０】
[0010]  好ましくは、前記プレス部材をバネ要素、例えばＶ字形又はＵ字形のバネとすることができる。
【００１１】
[0011]  プレス部材収容部の中で横方向に作用しうるバネ力を有するバネ要素を使用することによって、導電性コンタクトに対してケーブル端子を所定の位置に保持するための単純な機構を有利に生み出すことができ、バネ要素が導電性材料から作られていれば、それらのあいだの電気的な接触を改善する役割を果たすことができる。
【００１２】
[0012]  前記ケーブルコネクタは、さらに、前記プレス部材収容部又はそれに隣接する場所にケーブル案内部を有することができ、前記ケーブルは少なくともその一部が前記ケーブル案内部に収容可能である。
【００１３】
[0013]  ケーブル案内部を設けることによって、プレス部材収容部に対するケーブルの位置を正確に維持することができ、これにより自動製造プロセスによって作られる異なるケーブルコネクタ組立体に対して接続の均一性が改善される。
【００１４】
[0014]  選択的に、前記ケーブル案内部は、互いに離間した第１及び第２のケーブル案内スロットを含むことができ、前記第１及び第２のケーブル案内スロットの各々は、前記ケーブルをその内部へつないで収容する寸法とすることができる。
【００１５】
[0015]  ケーブル案内部の喉状部は、ケーブルの縦軸方向におけるケーブルの変位の可能性を制限することができるが、その理由は、ケーブルは直ちに所定の位置に押し込むことができるが強い振動の力によっても引き抜かれないからである。
【００１６】
[0016]  前記ケーブル案内部は、前記第１及び第２のケーブル案内スロットのあいだにケーブル案内チャンバを含むことができる。
【００１７】
[0017]  その内部に取り付けられたケーブルのケーブル本体を受け入れるチャンバは、過酷な振動力が存在する場合であってもケーブルを保持することができ、ケーブルの所定位置への保持力をさらに改善することができる。
【００１８】
[0018]  好ましくは、前記第１及び第２のケーブル案内スロットは、角度的又は位置的に互いにずらされており、好ましくは互いに垂直とされている。
【００１９】
[0019]  第１及び第２のスロットを角度的にずらすことによって、ケーブルが振動を受けてケーブル案内部から軸方向に沿って外れる可能性が制限される。ケーブルの曲がりが、ケーブルをケーブル案内部の中に維持するのことを助ける。
【００２０】
[0020]  前記ケーブル案内部は、ケーブル端子を導電性コンタクトへ方向付けるための端子方向付け肩部を備えることができ、端子方向付け肩部は面取りされた表面を有することが望ましい。
【００２１】
[0021]  ケーブル端子を所定位置へ折って曲げるための専用のかつ好ましい形状の面を設けることによって、高速の自動製造プロセスに対する大きなリスクとなりうる、製造プロセス中のケーブルへの損傷の可能性を制限することができる。
【００２２】
[0022]  一つの実施形態において、前記ケーブルは二つの前記ケーブル端子を有し、さらに前記ケーブルコネクタのそれぞれの導電性コンタクトに対して前記ケーブル端子を保持する第２の前記ケーブルコネクタ及び第２の前記プレス部材を含むことができる。
【００２３】
[0023]  一対のプレス部材収容部によって、単一のケーブルを両端において効果的に取り付けることが可能となり、これは例えば二つのモータ端子の確実な相互接続にとって重要となりうる。
【００２４】
[0024]  前記第１のケーブルコネクタ及び前記第２のケーブルコネクタは、個別の部品として設けることが望ましい。
【００２５】
[0025]  複数のケーブルコネクタは別々の部品とすることが効果的であり、またこれらを堅固で固定された中間体によって相互接続しないことが望ましい。これによりケーブルコネクタが潜在的に横方向へ移動することが可能となり、モータへの応用における振動の減衰をさらに改善する。
【００２６】
[0026]  前記ケーブル案内部は、前記ケーブルが、二つの前記プレス部材収容部のあいだで蛇行形、Ｕ字形、又はＳ字形の経路を画定するような形状とすることができる。
【００２７】
[0027]  ケーブルが蛇行形またはこれに類似の形状とされ、離間したケーブル案内部のあいだで保持されていれば、強い振動力がかかった場合でもケーブルの張力によってケーブルが外れる可能性を低減させる。
【００２８】
[0028]  他の実施形態において、二つの前記ケーブルを設け、前記ケーブルの各ケーブル端子を前記ケーブルコネクタのそれぞれの導電性コンタクトに対して保持するための第３及び第４の前記ケーブルコネクタ及び第３及び第４のプレス部材をさらに設けることができる。
【００２９】
[0029]  選択的に、前記二つのケーブルの一方のための前記プレス部材収容部は、前記二つのケーブルの他方のための前記プレス部材収容部に関して対称的に配置することができる。
【００３０】
[0030]  ４端子モータの構成に対しては二重ケーブル構成が最も適合し、これは電気駐車ブレーキアクチュエータの応用において使用されるアクチュエータのなかで最も一般的なものである。
【００３１】
[0031]  前記第１及び第３のケーブルコネクタは一体的に形成することができる。
【００３２】
[0032]  ケーブルコネクタのいくつかを一体的に形成することによって、これらを例えばデバイスのハウジング内の同じ場所に配置でき、これによりケーブルコネクタ組立体に関連するデバイスの構造的な完全性をアシストする。
【００３３】
[0033]  前記プレス部材収容部は、前記プレス部材をその中に保持するためのプレス部材保持手段を含むことが望ましい。選択的に、プレス部材保持手段は、プレス部材収容部の位置又はその近傍に配置されたストップ部を含むことができる。
【００３４】
[0034]  プレス部材がプレス部材収容部から外れ出るのを防ぐために、唇状部又はストップ部のようなラッチのいくつかの形状が推奨される。これは、バネ要素が用いられる場合に、振動の力がバネをがたつかせてバネの力を減衰させバネ要素が所定位置から外れる可能性がある場合には、特に有用である。
【００３５】
[0035]  前記ケーブルコネクタのコネクタ本体は、プラスチック材料のような前記プレス部材の摩擦係数よりも高い摩擦係数を有する材料から形成されることが好ましい。
【００３６】
[0036]  コネクタ本体をプラスチック材料から形成することによって、プレス部材収容部からの意図しない外れが生じないようにプレス部材が接触する十分な摩擦抵抗が与えられる。
【００３７】
[0037]  前記プレス部材収容部は、前記ケーブルコネクタ内の凹部として形成することができる。
【００３８】
[0038]  凹部状の収容部は、プレス部材を所定位置に差し込むという機械的にシンプルな動作をする機械に適合するという効果を有する。これにより、特に既存のコネクタ組立てで用いられるクリンプされたシューを手作業で取り付ける場合と比較して、組み立てプロセスが非常に効率的となる。
【００３９】
[0039]  一つの選択的な実施形態において、前記プレス部材は、前記プレス部材収容部に収容可能な楔留めする要素として形成することができる。
【００４０】
[0040]  ばね要素の代わりとして、収容部に挿入可能な物理的ブロック又は楔によって、同様のプレス効果が得られる。
【００４１】
[0041]  選択的に、前記プレス部材の幅は、弛緩状態で前記導電性コンタクトと前記プレス部材収容部の前記壁部とのあいだの間隔は好ましくは５０％から１５０％のあいだとすることができる。
【００４２】
[0042]  この範囲の幅を有するプレス部材は、本構成において実現可能に利用される数多くのケーブルの厚さと互換性を有するだろう。例えばバネ要素は、弛緩状態でプレス部材収容部の幅と同じかこれよりも大きい幅とするのが効果的であり、こうすればケーブル端子に対して作用する実用的なバネ力が存在する。一方、楔部材は、およそプレス部材収容部からケーブル端子の幅を差し引いた幅とすることができる。
【００４３】
[0043]  本開示の第二の観点によれば、アクチュエータハウジングと、前記アクチュエータハウジング内に収容可能な電気端子を有するモータと、以前の請求項のいずれかにおいてクレームされたケーブルコネクタ組立体とを含むアクチュエータであって、前記モータの前記端子は、前記ケーブルコネクタ組立体の前記導電性コンタクトに電気的に接続されているアクチュエータが提供される。
【００４４】
[0044]  好ましくは、前記プレス部材収容部は、前記アクチュエータハウジングと一体的に形成することができる。
【００４５】
[0045]  アクチュエータの組み立てを簡略化するために、プレス部材収容部はハウジングと一体的に形成することが効果的であり、アクチュエータを組み立てるのに必要とされる部品の数が削減される。
【００４６】
[0046]  好ましくは、アクチュエータは電気駐車ブレーキアクチュエータとすることができる。
【００４７】
[0047]  電気駐車ブレーキは通常、自動車の中の振動が多い領域に配置され、このため本開示は、関連するアクチュエータに適合するケーブル接続を与えるのに非常に適する。
【００４８】
[0048]  本開示の第三の観点によれば、電気デバイスのためのケーブルコネクタであって、プレス部材収容部を有し、前記プレス部材収容部は、導電性コンタクト又は導電性コンタクト及び対向すする壁部分のための収容部を含み、前記壁部分に接触するように前記プレス部材収容部へ挿入可能なプレス部材を有し、前記プレス部材は、その中に挿入されたケーブルのケーブル端子を前記導電性コンタクトに対して保持するケーブルコネクタが提供される。
【００４９】
[0049]  本開示の第四の観点によれば、電気デバイスの端子へケーブルを接続する方法であって、［ａ］本開示の第三の観点に従ったケーブルコネクタの前記導電性コンタクトに前記端子を接続する段階、［ｂ］前記ケーブルのケーブル端子を前記プレス部材収容部へ挿入する段階、［ｃ］前記プレス部材を前記プレス部材収容部へ挿入して、前記ケーブル端子を前記導電性コンタクトに接触するよう付勢する段階であって、前記プレス部材によって前記ケーブル端子と前記壁部とのあいだに与えられる力で、前記ケーブル端子を前記導電性コンタクトと接触して保持する段階、を含む方法が提供される。
【００５０】
[0050]  プレス部材をケーブルコネクタのプレス部材収容部に挿入することによって、電気的接触を達成することができるシンプルな方法が提供される。特に、これは直ちに自動化される方法であり、したがってケーブルコネクタの使用に通常関連する労働集約的なステップを削減するこができる。
【００５１】
[0051]  選択的に、上記段階［ｃ］において、ケーブル端子をプレス部材によって所定位置に折り曲げることができる。
【００５２】
[0052]  プレス部材を使用することによって、いったん導電性コンタクトに接触したケーブル端子を所定位置に保持できるだけでなく、プレス部材の挿入によってケーブル端子を正しい位置に積極的に付勢することによって、取り付けプロセスを単純化することができる。
【図面の簡単な説明】
【００５３】
【図１】本開示の第１の観点によるケーブルコネクタ組立体の第１実施形態の上部斜視図であり、電気駐車ブレーキアクチュエータとの使用に適合する、四つのケーブルコネクタを含んでいる。
【図２】（ａ）はプレス部材を挿入する前の、図１のケーブルコネクタのプレス部材収容部の断面図であり、（ｂ）は（ａ）に示したプレス部材収容部の正面図であり、（ｃ）は（ａ）に示したプレス部材収容部の平面図である。
【図３】（ａ）プレス部材を挿入したあとの、図２（ａ）のプレス部材収容部の断面図であり、（ｂ）は（ａ）に示したプレス部材収容部の正面図であり、（ｃ）は（ａ）に示したプレス部材収容部の平面図である。
【図４】本開示の第１の観点による、ケーブルコネクタ組立体の第２実施形態を用いたアクチュエータの斜視図である。
【図５】図４のアクチュエータの分解斜視図である。
【発明を実施するための形態】
【００５４】
[0053]  本開示は、以下で添付図面を参照しながらより具体的に、例示としてのみ説明される。
【００５５】
[0063]  図１を参照する。同図には、ケーブルコネクタ組立体の第１実施形態が、全体を符号１０として示されている。これは、例えば電気駐車ブレーキアクチュエータのためのモータのような振動に敏感な電気デバイスにおいて端子間に電気的な接続を与えるのに適合する。
【００５６】
[0064]  ここで、ケーブルコネクタ組立体１０には複数のケーブルコネクタ１２ａ、１２ｂ、１２ｃ、１２ｄが含まれ、各々は関連するモータ、モータハウジング、及び／又は、デバイスハウジングに取り付け可能又は接続可能とされている。ここで、第２及び第４のケーブルコネクタ１２ｂ、１２ｄは支持部材１４によって互いに接続されており、支持部材１４は関連するモータと整列するように配置されて、潜在的にそのエンドキャップとしての役割を果たす。第１及び第３のケーブルコネクタ１２ａ、１２ｃもまた、ユニットとして互いに接続されうる。
【００５７】
[0065]  しかしながら、ケーブルコネクタ１２ａ、１２ｂ、１２ｃ、１２ｄは、例えばモータの端子、あるいはその先の他の導電性のコネクタの端子にそれぞれに取り付けられる個別のユニットとして設けることも可能である。
【００５８】
[0066]  本実施形態には四つのケーブルコネクタ１２ａ、１２ｂ、１２ｃ、１２ｄが設けられており、これは電気駐車ブレーキアクチュエータに適合する構成である。第１及び第３のケーブルコネクタ１２ａ、１２ｃは、一体的に形成された部品として設けられ、例えば電気駐車ブレーキアクチュエータのその先の端子へ接続するために設けられている。
【００５９】
[0067]  第２及び第４のケーブルコネクタ１２ｂ、１２ｄは、ここでは個別の独立したユニットとして形成され、電気駐車ブレーキアクチュエータのモータの端子にそれぞれ接続可能とされている。したがって、第２及び第４のケーブルコネクタ１２ｂ、１２ｄは、電気駐車ブレーキアクチュエータのデバイスハウジング内のモータと重なるように配置することができる。第２及び第４のケーブルコネクタ１２ｂ、１２ｄを互いに分離し、かつ第１及び第３のケーブルコネクタ１２ａ、１２ｃから分離したことにより、さらに振動が減衰される。
【００６０】
[0068]  各ケーブルコネクタ１２ａ、１２ｂ、１２ｃ、１２ｄには、少なくとも一つの、好ましくは複数のコネクタ本体１８を設けることが好ましく、ここでは壁で囲まれたチャンバとして形成されおり、このチャンバにより、ケーブル２０を挿入しこれにより完全なケーブルコネクタ組立体１０を形成する領域が集合的に画定される。この構成では壁で囲まれたチャンバは二種類あり、一方は、バネ収容凹部として形成されたプレス部材収容部２２で、ここにはケーブル２０のケーブル端子２４が挿入され、他方は、各ケーブル２０の本体部、通常はその絶縁層が取り除かれていない部分を配置可能な領域を画定するケーブル案内チャンバ２６である。
【００６１】
[0069]  各コネクタ本体１８、好ましくは少なくともプレス部材収容部２２は、相対的に高い摩擦係数を有する材料、特に追加の製造プロセスを経て形成される場合には、好ましくはプラスチック材料などの対応するプレス部材よりも高い摩擦係数を有する材料から形成することが望ましい。しかしながら、各コネクタ本体１８を伝統的な真空成形プロセスで形成することもできる。
【００６２】
[0070]  各ケーブル案内チャンバ２６は、関連するケーブル端子２４が、結合のためにプレス部材を介して正しく整列されるのを確実にするために、それぞれのプレス部材収容部２２の部分または近傍に配置することが望ましい。プレス部材は、ここではプレス部材収容部２２に収容可能なバネ要素２８として形成されている。
【００６３】
[0071]  各ケーブル２０の本体部を所定位置に保持するために、各ケーブル案内チャンバ２６は、第１及び第２のケーブル案内スロット３０ａ、３０ｂを含むことが望ましい。ケーブル案内スロット３０ａ、３０ｂは、ケーブル２０の挿入を可能とするスロットとしてケーブル案内チャンバ２６の壁に形成することができる。好ましくは、各ケーブル案内スロット３０ａ、３０ｂの喉状部の最小幅は、絶縁材料を含んだケーブル２０の幅よりも僅かに小さくする。これにより、ケーブル２０を第１又は第２のケーブル案内スロット３０ａ、３０ｂへ挿入したときに、絶縁材料が僅かに変形してケーブル２０を所定の位置につないで保持することができる。
【００６４】
[0072]  第１のケーブル案内スロット３０ａは、プレス部材収容部２２の位置又はその近傍に配置され、第２のケーブル案内スロット３０ｂはここから離して設けられ、ケーブル２０の一部は対応するケーブル案内チャンバ２６の内部に収容される。第１及び第２のケーブル案内スロット３０ａ、３０ｂを互いにある角度で、好ましくは９０度の角度で配置することによって、ケーブル２０の改善された保持が達成される。ただし、第１及び第２のケーブル案内スロット３０ａ、３０ｂが互いに同軸にならない、この角度とは異なる角度とする選択肢も可能であるが、ただし直角とする配置が望ましい。
【００６５】
[0073]  単一のケーブル２０のための案内部は、互いに離間したいくつかのケーブル案内チャンバを含んでもよく、前記ケーブル案内チャンバ２６の第２のケーブル案内スロット３０ｂは、ここに挿入されたケーブル２０が蛇行形、Ｕ字形、又はＳ字形の経路をとるように互いに相対的にずらして、ケーブル案内部におけるケーブル２０の保持を改善させることができる。
【００６６】
[0074]  バネ要素２８及びプレス部材収容部２２は、ケーブル端子２４の例えば関連するモータ端子への接続を可能にする。この接続方法は、図２ａ〜２ｃ及び図３ａ〜３ｃに例示されている。図示されているのは第１のケーブルコネクタ１２ａであるが、この接続方法は、すべてのケーブルコネクタ１２ａ、１２ｂ、１２ｃ、１２ｄに適用可能であろう。
【００６７】
[0075]  図２ａは、上表面３２上で曲げられていないケーブル端子２４を有するプレス部材収容部２２を詳細に示している。各プレス部材収容部２２のベース部に埋め込まれた又は一体化された導電性要素３４は、導電性コンタクト３６を有しており、これはプレス部材収容部２２のバネ収容凹部４０の第１の壁３８の少なくとも一部を形成する。ケーブル２０とモータ端子のあいだの電気的接続を形成するために、ケーブル端子２４を導電性コンタクト３６と接触させなければならない。
【００６８】
[0076]  導電性コンタクト３６は、第１の壁３８の全体を形成することも、あるいはそのうちケーブル端子２４に整列する一部を形成することもできる。また、導電性要素３４を個々のケーブルコネクタ１２ａの一部として形成するのではなく、導電性コンタクトのための収容部へ挿入可能とすることもできる。これは、関連する電気駐車ブレーキアクチュエータのモータ端子がモータの挿入可能なスタブ又は突出部として形成されている場合に最も適用可能である。プレス部材収容部２２の内部で導電性コンタクト３６の上端部が隣接するストップ部が設けられており、これにより例えばスタブの過剰挿入を防ぐことができる。
【００６９】
[0077]  ケーブル案内部に隣接するプレス部材収容部の上表面は、ケーブル端子２４を導電性コンタクト３６へ方向付けるための端子方向付け肩部４２として形成することができ、これは、ケーブル端子２４が曲げられるときにケーブル端子２４への偶発的な損傷を防ぐために、面取りされた表面を有することが望ましい。
【００７０】
[0078]  導電性コンタクト３６に対向する側には第２の壁部４４が設けられており、導電性コンタクト３６及び第２の壁部４４はともにプレス部材収容部２２を形成する。プレス部材収容部２２のベース４６は、ここに挿入されるバネ要素２８などのプレス部材への追加的な支持を提供し、例示された実施形態では、これを導電性の要素として形成するのが効果的である。これによって、バネ要素２８を介したケーブル端子２４と導電性コンタクト３６とのあいだの全体としての潜在的な電気的接触が改善される。
【００７１】
[0079]  図２ｂにおいて、第１のケーブル案内スロット３０ａをより分かりやすく見ることができ、ここでスロット３０ａは、所定位置にいったんプレス挿入されたケーブル２０の垂直部分を保持するくびれた喉状部３１ａを含む。上部の好ましくは面取りされた面４７ａは、ケーブル２０を第１のスロット３０ａへ案内する案内面としての役割を果たす。ケーブル２０を第１のケーブル案内スロット３０ａを通して引き抜くためには、ケーブル２０をここから取り外すために絶縁材料を僅かに変形させる必要があるため、そのための特別な上向きの力が必要とされる。このため、ケーブル２０の振動による逸脱は起こらないようにされる。
【００７２】
[0080]  第２のケーブル案内スロット３０ｂも、所定位置にいったんプレス挿入されたケーブル２０の垂直部分を保持する同様のくびれた喉状部３１ａを有するように形成されることが望ましい。スロット３０ｂの好ましくは面取りされた上部の面は、同じくケーブル２０を第２のスロット３０ｂへ案内することができる。
【００７３】
[0081]  図２ｃは、ケーブル端子２４とプレス部材収容部２２の相対的な位置を示している。ケーブル端子２４は、ケーブル案内部の中に配置されたときに、導電性コンタクト３６と対向する第２の壁４４との間の空間に懸け渡るように、絶縁材料を取り去っておくことが望ましい。これによって、プレス部材収容部２２への妨害が生じることなく、いったんプレス部材が挿入されるとケーブル端子２４と導電性コンタクト３６とのあいだの最大接触が確実となる。
【００７４】
[0082]  図３ａ〜図３ｃは、バネ要素２８がプレス部材収容部２２へ挿入されたあとの図２ａ〜図２ｃと同じ部分を示している。
【００７５】
[0083]  図３ａから分かるように、バネ要素２８はここではＶ字又はＵ字形状のバネとして設けられており、弛緩状態で導電性コンタクト３６と対向する壁４４とのあいだの間隔の好ましくは９０％から１５０％のあいだの幅を有する。これは、プレス部材収容部２２の内側に、バネ要素２８とケーブル端子２４の両方に対して空間を与える。
【００７６】
[0084]  バネ要素２８は、バネ要素２８とともにケーブル端子２４がプレス部材収容部２２の中で下へ押されるように付勢される。ケーブル端子２４は、バネ要素２８がプレス部材収容部２２へ進入するあいだにケーブル端子２４と接触すると、端子方向付け肩部４２の周囲の表面に沿って曲げられる。端子方向付け肩部４２の表面は、ケーブルが第１のスロット３０ａ内へ挿入されるときに偶発的な損傷を防ぐために、面取りしておくことができる。
【００７７】
[0085]  これにより、ケーブル端子２４を導電性コンタクト３６に対して手際よく折り曲げることができ、バネ要素２８がケーブル端子２４及び対向する壁４４に対してバネの力で付勢される際に所定の位置に保持される。バネ要素２８の寸法が導電性コンタクト３６と対向する壁４４とのあいだの間隔により近づくほど、ケーブル端子２４に対して加わるバネの力は大きくなり、保持力はより確実となる。
【００７８】
[0086]  図３ｂ及び図３ｃは、曲げられたケーブル端子２４の配置を前方及び上方から見たときの、ケーブル端子２４とバネ要素２８のあいだの相対位置を示している。
【００７９】
[0087]  図４及び図５には、第２実施形態のケーブルコネクタ組立体１１０を用いたアクチュエータが、ケーブルコネクタ組立体１１０がアクチュエータハウジング１４８内の実際の場所に配置された状態で示されている。第２実施形態のケーブルコネクタ組立体の同一又は類似の部品は、同一又は類似の符号を用いて示され、さらなる詳細な説明は省略する。
【００８０】
[0088]  アクチュエータ１００のモータ１５０は、アクチュエータハウジング１４８に収められされ、ケーブルコネクタ組立体１１０は、モータ端子１５２と他の電気部品、特にアクチュエータ１００への電源とのあいだの電気的接続が可能となるようモータ１５０の周囲に収まるように配置される。電気駐車ブレーキアクチュエータの構成においては、通常、ＤＣモータとして設けられるモータ１５０は、ハウジング１４８内でモータ１５０の横方向のいくらかの移動を許容するように弾性サスペンションとともにハウジング１４８内に固定される。電気的な接続は、この横方向への移動を許容できなければならない。
【００８１】
[0089]  ここでは、第２及び第４のケーブルコネクタ１１２ｂ、１１２ｄがモータ端子１５２のところ又はこれに隣接して配置されるように、モータ１５０の端部に収められる支持部材１１４が設けられている。しかしながら、第１及び第３のケーブルコネクタ１１２ａ、１１２ｃは、アクチュエータ１００の電源コネクタ１５４のところ又はこれに隣接して、アクチュエータハウジング１４８と一体的に形成される。これにより、バネ要素１２８をアクチュエータハウジング１４８に直接はめ込むことができるので、アクチュエータ１００の製造及び組み立ての両方を簡素化できるという利点がある。支持部材１１４もまた、アクチュエータ１００に設けられたギア１５６をよりよく収納するように形成することができる。
【００８２】
[0090]  支持部材１１４がモータ１５０の周囲に配置されると、ケーブル１２０を所定の位置に挿入することができ、ここでは第１及び第２のケーブルコネクタ１１２ａ、１１２ｂと、第３及び第４のケーブルコネクタ１１２ｃ、１１２ｄをそれぞれ相互に接続する。
【００８３】
[0091]  本開示は、図１において、関連する端子にケーブルが接続された四つの端子を有する振動に敏感な電気デバイスに適合するものとして示されている。しかしながら、ケーブル端子２４を所定の位置に保持するためのプレス部材収容部２２及びプレス部材の任意の個々のユニットを設けることができることを理解すべきであり、実際に、たった一つのプレス部材収容部２２が設けられた場合は図２ａ〜図２ｃ及び図３ａ〜図３ｃに示されている。しかしながら、単一のケーブル２０のケーブル端子２４を固定するためには、ケーブルコネクタ組立体１０に少なくとも二つの前記プレス部材収容部２２を含めることが推奨される。
【００８４】
[0092]  これまでのプレス部材収容部は、ケーブルコネクタ組立体の壁で囲んだチャンバ内に位置する凹部として説明されてきた。しかしながら、プレス部材がコネクタ支持部に挿入可能であるとすると、凹部が実際にあるかどうかにかかわらず、導電性コンタクトとの接続を確実にするために、ケーブル端子を保持することが可能であることが理解されるだろう。
【００８５】
[0093]  さらに、バネ要素がプレス部材として提案されているが、プレス部材収容部の中でケーブル端子に保持力を与えることのできる任意の適切な要素を考えることができることが理解されるだろう。
【００８６】
[0094]  考えることができるいくつかの可能な選択肢が存在する。例えば、ラバー又は類似の変形可能な栓（bung）を、ケーブル端子を導電性コンタクに対して有効に楔留めすることで、収容部へ挿入可能なものとして設けることができる。これは、限定的なバネ力を用いるのではなく、外れるのを防ぐために体積的な付勢力を用いるものである。
【００８７】
[0095]  選択的に、プレス部材収容部へはまり込む寸法とされたキャップ要素を設けることができる。これは例えばキャップ要素に差し渡るバー又はラッチを用いて所定位置で物理的にロックされるか、又は、キャップ要素上に把持手段、例えば、ケーブルの絶縁材料に食い込んでプレス部材収容部からの外れに抵抗するような小さい歯のようなものを設けることができる。
【００８８】
[0096]  非バネ様のプレス部材を用いた場合、プレス部材の寸法は、ケーブル端子の幅を考慮すると、プレス部材はプレス部材収容部へちょうどはまるように、導電性コンタクトと対向する壁とあいだの距離の５０％から１００％のあいだとすることが望ましい。
【００８９】
[0097]  振動許容型のデバイスに対して適合するものとして、減衰されたＤＣモータが設けられた電気駐車ブレーキアクチュエータなどのケーブルコネクタ組立体について説明してきた。この出願において、ＤＣモータは二つの電気端子を有しているので、二組のケーブルコネクタが設けられている。しかしながら、設けられるケーブルコネクタの数は、関連するデバイスにおいて接続に必要とされる端子の数に対応するものとすべきであることは理解されるだろう。例えば、ケーブルコネクタの第３のペアが必要とされるグランド端子を有するモータを設けることができ、またステッパモータでは接続すべき四つ又はそれ以上の端子を有することができる。
【００９０】
[0098]  したがって、導電性コンタクトに対するケーブル端子の付勢は、プレス部材が接触することができる壁部分に対してなされることが理解される。したがって、プレス部材収容部の形状は多くの点で重要ではなく、適切な寸法のプレス部材収容部が用意されていれば、例えば円柱状又は非四角形などとすることもできる。
【００９１】
[0099]  したがって、クリンプされたケーブルのシューを設ける必要をなくすことによって、自動化された組み立てラインにおいて使用するのに適合したケーブルコネクタを提供することができる。これは、ケーブル端子を対応する導電性コンタクトに対して係留できるコネクタに関連づけられた、適切な寸法及び形状のプレス部材及びプレス部材収容部を用いることによって達成される。
【００９２】
[0100]  「備える（comprises/comprising）」という語及び「有する／含む（having/including）」という語は、本開示を参照して本明細書で用いられる場合、説明する特徴、整数、工程又は部品の存在を規定するために使用され、他の１つ以上の特徴、整数、工程、部品又はそれらのグループの存在又は追加を排除するものではない。
【００９３】
[0101]  明確にするために別個の実施形態に関連して説明されている本開示の特定の特徴は、１つの実施形態において組み合わせて提供してもよいものと理解される。逆に、簡潔にするために１つの実施形態に関連して説明されている本開示の種々の特徴を、個別に又はそれらを適当に組み合わせて提供してもよい。
【００９４】
[0102]  上記の実施形態は単なる例示であり、本明細書で定義する本開示の範囲から逸脱することなく、他の様々な修正が、当業者にとって明らかである。
【符号の説明】
【００９５】
１０      ：ケーブルコネクタ組立体
１２ａ    ：第３のケーブルコネクタ
１２ａ    ：第１のケーブルコネクタ
１２ａ    ：ケーブルコネクタ
１２ｂ    ：ケーブルコネクタ
１２ｂ    ：第４のケーブルコネクタ
１２ｃ    ：第３のケーブルコネクタ
１２ｃ    ：ケーブルコネクタ
１２ｄ    ：ケーブルコネクタ
１２ｄ    ：第４のケーブルコネクタ
１４      ：支持部材
１８      ：コネクタ本体
２０      ：ケーブル
２２      ：プレス部材収容部
２４      ：ケーブル端子
２６      ：ケーブル案内チャンバ
２８      ：バネ要素
３０ａ    ：第１のケーブル案内スロット
３０ａ    ：スロット
３０ａ    ：第１のスロット
３０ａ    ：ケーブル案内スロット
３０ａ    ：第２のケーブル案内スロット
３０ｂ    ：ケーブル案内スロット
３０ｂ    ：第２のケーブル案内スロット
３０ｂ    ：スロット
３０ｂ    ：第２のスロット
３１ａ    ：喉状部
３２      ：上表面
３４      ：導電性要素
３６      ：導電性コンタクト
３８      ：第１の壁
４０      ：バネ収容凹部
４２      ：端子方向付け肩部
４４      ：壁
４４      ：第２の壁
４４      ：第２の壁部
４６      ：ベース
４７ａ    ：面
１００    ：アクチュエータ
１１０    ：ケーブルコネクタ組立体
１１２ａ  ：第３のケーブルコネクタ
１１２ａ  ：第２のケーブルコネクタ
１１２ｂ  ：第４のケーブルコネクタ
１１２ｂ  ：第２のケーブルコネクタ
１１２ｃ  ：第４のケーブルコネクタ
１１２ｃ  ：第３のケーブルコネクタ
１１２ｄ  ：第４のケーブルコネクタ
１１４    ：支持部材
１２０    ：ケーブル
１２８    ：バネ要素
１４８    ：ハウジング
１４８    ：アクチュエータハウジング
１５０    ：モータ
１５２    ：モータ端子
１５４    ：電源コネクタ
１５６    ：ギア
【図１】
2020024910.tif 000003
【図２】
2020024910.tif 000004
【図３】
2020024910.tif 000005
【図４】
2020024910.tif 000006
【図５】
2020024910.tif 000007
【外国語明細書】
2020024910000001.pdf